(57)【要約】【課題】最もコストの安いルートによって、携帯電話から発信する通話を実現すること。【解決手段】発信者が使用する携帯電話１と、受信者が使用する電話３と、携帯電話１との間で通信可能な基地局４ａと接続している発信者加入側交換機８と、最も安価な通話料となるルートで通話可能とする最安回線交換機１１と、受信者の電話３と接続している受信者加入側交換機８とを備えた電話回線接続システムであって、携帯電話１から、受信者の電話３の電話番号のデータと共に、最安回線交換機１１の電話番号のデータを発信する電話番号データ発信手段２５と、最安回線交換機１１の電話番号のデータに基づいて、最安回線交換機１１に回線を接続する最安回線交換機接続手段９ａと、受信者の電話３の電話番号に基づいて、発信者の携帯電話１との回線を接続したままで、受信者加入側交換機８に接続する受信者加入側交換機接続手段９ａ，１１ａとを備える電話回線接続システムとすること。【選択図】　図１
2004096597.tif 000002
【特許請求の範囲】
【請求項１】
携帯電話の内部あるいは外部に接続する電話回線接続用端末であって、
最も安価な通話料となるルートで通話可能とする最安回線交換機の電話番号を記憶する電話番号記憶手段と、
携帯電話の発信ボタンのオンをトリガにして、上記電話番号記憶手段から、上記最安回線交換機の電話番号のデータを読み出す電話番号読み出し手段と、
受信者の電話の電話番号のデータと共に、上記最安回線交換機の電話番号のデータを発信する電話番号データ発信手段と、
を備えることを特徴とする電話回線接続用端末。
【請求項２】
発信者が使用する携帯電話と、受信者が使用する電話と、上記携帯電話との間で通信可能な基地局と接続している発信者加入側交換機と、最も安価な通話料となるルートで通話可能とする最安回線交換機と、受信者の電話と接続している受信者加入側交換機とを備えた電話回線接続システムであって、上記携帯電話から、受信者の電話の電話番号のデータと共に、最安回線交換機の電話番号のデータを発信する電話番号データ発信手段と、
上記最安回線交換機の電話番号のデータに基づいて、上記最安回線交換機に回線を接続する最安回線交換機接続手段と、
上記受信者の電話の電話番号に基づいて、上記発信者の携帯電話との回線を接続したままで、上記受信者加入側交換機に接続する受信者加入側交換機接続手段と、
を備えることを特徴とする電話回線接続システム。
【請求項３】
前記発信者加入側交換機と前記最安回線交換機との間に、国際交換機を、さらに備え、
前記電話番号データ発信手段は、前記発信者加入側交換機から上記国際交換機との回線を接続するための国際交換機接続用データを発信することを特徴とする請求項２記載の電話回線接続システム。
【請求項４】
前記電話回線接続システムは、さらに、回線の接続を管理するサーバセンタと、前記発信者の保証金を保持する最安回線交換機口座と、通話接続情報と前記発信者への課金を管理するＩＣコンピュータセンタとを有するシステムとし、
上記最安回線交換機口座内の上記保証金が、通話料金を下回ったか否かを判別する保証金判別手段と、
上記最安回線交換機口座内の上記保証金が、通話料金を下回った場合に、上記サーバセンタに対して、回線使用中止のコマンドを送信する使用禁止コマンド送信手段と、
前記最安回線交換機からの接続があると、回線接続を禁止する処理を行う回線接続禁止処理手段と、
を備えることを特徴とする請求項２または３記載の電話回線接続システム。
【請求項５】
前記最安回線交換機口座は、前もって、前記保証金のための金額を支払うプリペイド方式、あるいは通話料金の支払い請求に基づいて請求額を支払う後払い方式により、前記保証金を保持することを特徴とする請求項４記載の電話回線接続システム。
【請求項６】
コンピュータに読み込み可能なプログラムであって、
携帯電話の発信ボタンのオンを検知する発信検知ステップと、
上記発信ボタンのオンをトリガにして、最も安価な通話料となるルートで通話可能とする最安回線交換機の電話番号のデータを読み出す電話番号読み出しステップと、
上記最安回線交換機の電話番号のデータを送信する電話番号データ送信ステップと、
を含むことを特徴とする電話回線接続用プログラム。
【請求項７】
前記電話番号読み出しステップは、発信者が使用する携帯電話との間で通信可能な基地局と接続している発信者加入側交換機から、最も安価な通話料となるルートで通話可能とする最安回線交換機に回線を接続する国際交換機へと回線を接続するための国際交換機接続用データを読み出し、前記電話番号データ送信ステップは、上記国際交換機接続用データを送信することを特徴とする請求項６記載の電話回線接続用プログラム。
【発明の詳細な説明】
【０００１】
【発明の属する技術分野】
本発明は、携帯電話の内部あるいは外部に接続する電話回線接続用端末、その電話回線接続用端末を使って回線交換機を介して別の電話と通話可能とする電話回線接続システム、並びに回線交換機に接続するための電話回線接続用プログラムに関する。
【０００２】
【従来の技術】
通常、国内において携帯電話同士間あるいは携帯電話と固定電話との間で通話する場合、国内の電話回線管理会社の移動回線交換機を介して行われている。近年、携帯電話が爆発的に普及し、通話料の低額化の要求が高まってきている。このような要求に対して、最もコストの低くなる通信プロトコルを動的に選択し、携帯電話の通話料の低額化を図る努力が行われている。しかし、通話の時間帯、曜日、距離によって回線使用料が様々に変化している現状では、最もコストの低くなる通信プロトコルを動的に選択することは、極めて困難であり、ＡＣＲを利用した通話であっても、必ずしも最低通話料金となるとは限らない。
【０００３】
このような問題に対して、携帯電話の通話料の低額化を図る発明が開示されている（例えば、特許文献１参照）。この特許文献には、送信時の時間データと、その時間データに基づいたコストデータとを参照して、最もコストが低い通信プロトコルを選択可能とする発明が開示されている。
【０００４】
【特許文献１】
特開２０００−２９９６５７号公報
【０００５】
【発明が解決しようとする課題】
しかし、上述の従来技術には、次のような問題がある。特許文献１に示されている時間データに基づいたコストデータは、固定のデータではなく、条件によって変動するデータである。このため、コストデータの更新手続きに伴う費用が、最終的に、ユーザの負担となる。また、送信時の時間データとコストデータの照合処理を行うには、サーバが必要になるため、やはり、最終的に、ユーザの負担を大きくする。
【０００６】
また、国内の電話回線管理会社により課金される通話料金は、現状では、先進諸国（特に、アメリカ合衆国）のそれと比較して高額である。このため、時間帯、曜日等の条件を考慮して最もコストの低い通信プロトコルを選択できたとしても、上記先進諸国の電話会社を介する場合の通話料に比べて、高くならざるを得ない。
【０００７】
かかる問題に鑑みみ、本発明は、最もコストの安いルートによって、携帯電話から発信する通話を実現することを目的とする。
【０００８】
【課題を解決するための手段】
上記目的を達成するため、本発明は、携帯電話の内部あるいは外部に接続する電話回線接続用端末であって、最も安価な通話料となるルートで通話可能とする最安回線交換機の電話番号を記憶する電話番号記憶手段と、携帯電話の発信ボタンのオンをトリガにして、電話番号記憶手段から、最安回線交換機の電話番号のデータを読み出す電話番号読み出し手段と、受信者の電話の電話番号のデータと共に、最安回線交換機の電話番号のデータを発信する電話番号データ発信手段とを備える電話回線接続用端末としている。このため、発信者の携帯電話に電話回線接続用端末を接続した状態で、受信者の電話の電話番号を発信すると、予め記憶されている最安回線交換機の電話番号も発信される。これによって、最安回線交換機を経由して受信者の電話との回線が接続されるので、携帯電話を使った通話料金が安くなる。しかも、最安回線交換機の電話番号をプッシュする必要がないので、当該電話番号を知らなくても、簡単に最安回線交換機を経由した回線で通話可能となる。
【０００９】
また、別の本発明は、発信者が使用する携帯電話と、受信者が使用する電話と、携帯電話との間で通信可能な基地局と接続している発信者加入側交換機と、最も安価な通話料となるルートで通話可能とする最安回線交換機と、受信者の電話と接続している受信者加入側交換機とを備えた電話回線接続システムであって、携帯電話から、受信者の電話の電話番号のデータと共に、最安回線交換機の電話番号のデータを発信する電話番号データ発信手段と、最安回線交換機の電話番号のデータに基づいて、最安回線交換機に回線を接続する最安回線交換機接続手段と、受信者の電話の電話番号に基づいて、発信者の携帯電話との回線を接続したままで、受信者加入側交換機に接続する受信者加入側交換機接続手段とを備える電話回線接続システムとしている。このため、発信者の携帯電話から受信者の電話の電話番号を発信すると、予め記憶されている最安回線交換機の電話番号も発信される。これによって、最安回線交換機を経由して受信者の電話との回線が接続されるので、携帯電話を使った通話料金が安くなる。しかも、最安回線交換機の電話番号をプッシュする必要がないので、当該電話番号を知らなくても、簡単に最安回線交換機を経由した回線で通話可能となる。
【００１０】
また、別の本発明は、上述の発明において、発信者加入側交換機と最安回線交換機との間に、国際交換機を、さらに備え、電話番号データ発信手段は、発信者加入側交換機から国際交換機との回線を接続するための国際交換機接続用データを発信する電話回線接続システムとしている。このため、最安回線交換機が国外に存在する場合に、国際交換機を中継して、最安回線交換機経由での通話が可能となる。したがって、国内の電話同士での通話であっても、現状の海外電話回線管理会社に課金される格安通話料の恩恵を受けられる。
【００１１】
また、別の本発明は、上述の発明において、電話回線接続システムを、さらに、回線の接続を管理するサーバセンタと、発信者の保証金を保持する最安回線交換機口座と、通話接続情報と発信者への課金を管理するＩＣコンピュータセンタとを有するシステムとし、最安回線交換機口座内の保証金が、通話料金を下回ったか否かを判別する保証金判別手段と、最安回線交換機口座内の保証金が、通話料金を下回った場合に、サーバセンタに対して、回線使用中止のコマンドを送信する使用禁止コマンド送信手段と、最安回線交換機からの接続があると、回線接続を禁止する処理を行う回線接続禁止処理手段とを備えた電話回線接続システムとしている。このため、料金未払いの状況が発生すると、電話回線接続用端末を使用した最安回線交換機経由の通話を利用できなくなる。したがって、最安回線交換機を管理する会社が、料金未払いによる不利益を被る事態を防止できる。
【００１２】
また、別の本発明は、上述の発明において、最安回線交換機口座が、前もって、保証金のための金額を支払うプリペイド方式、あるいは通話料金の支払い請求に基づいて請求額を支払う後払い方式により保証金を保持する電話回線接続システムとしている。このため、携帯電話を使用する発信者の料金支払い方法のバリエーションを広げることにつながる。
【００１３】
また、別の本発明は、コンピュータに読み込み可能なプログラムであって、携帯電話の発信ボタンのオンを検知する発信検知ステップと、発信ボタンのオンをトリガにして、最も安価な通話料となるルートで通話可能とする最安回線交換機の電話番号のデータを読み出す電話番号読み出しステップと、最安回線交換機の電話番号のデータを送信する電話番号データ送信ステップとを含む電話回線接続用プログラムとしている。このため、この電話回線接続用プログラムを格納したメモリを携帯電話あるいは携帯電話に接続される端末内に設けることにより、受信者の電話の電話番号データの発信と共に、最安回線交換機の電話番号データが発信可能となる。これによって、最安回線交換機を経由して受信者の電話との回線が接続されるので、携帯電話を使った通話料金が安くなる。しかも、最安回線交換機の電話番号をプッシュする必要がないので、当該電話番号を知らなくても、簡単に最安回線交換機を経由した回線で通話可能となる。
【００１４】
また、別の本発明は、上述の発明において、電話番号読み出しステップが、発信者の使用する携帯電話との間で通信可能な基地局と接続している発信者加入側交換機から、最も安価な通話料となるルートで通話可能とする最安回線交換機に回線を接続する国際交換機へと回線を接続するための国際交換機接続用データを読み出し、電話番号データ送信ステップが、国際交換機接続用データを送信する電話回線接続用プログラムとしている。このため、この電話回線接続用プログラムを格納したメモリを携帯電話あるいは携帯電話に接続される端末内に設けることにより、最安回線交換機が国外に存在する場合に、国際交換機を中継して、最安回線交換機経由での通話が可能となる。したがって、国内の電話同士での通話であっても、現状の海外電話回線管理会社に課金される格安通話料の恩恵を受けられる。
【００１５】
【発明の実施の形態】
以下、本発明に係る電話回線接続用端末、電話回線接続システム並びに電話回線接続用プログラムの実施の形態につき、図面に基づき説明する。
【００１６】
図１は、本発明の電話回線接続システムを示す図である。この電話回線接続システムは、発信者が使用する携帯電話１と、その携帯電話１に外付け可能な電話回線接続用端末２と、受信者が使用する電話（この実施の形態では、携帯電話としている）３と、携帯電話１と無線通信可能な基地局４ａと、電話３と無線通信可能な基地局４ｂと、基地局４ａ，４ｂを制御する基地局制御装置５と、携帯電話１および電話３の位置登録を実行するためのデータベースを格納しているＶＬＲ（Ｖｉｓｉｔｏｒ　Ｌｏｃａｔｉｏｎ　Ｒｅｓｉｓｔｅｒ）６と、利用者情報および課金情報を登録するＨＬＲ（Ｈｏｍｅ　Ｌｏｃａｔｉｏｎ　Ｒｅｓｉｓｔｅｒ）７と、移動交換機８と、移動交換機８と国外の交換機とを中継する国際交換機９と、国際交換機９と国外の交換機とを結ぶ専用回線１０と、最も安価な通話料となるルートで通話可能とする国外の交換機である最安回線交換機１１と、通話明細を記録するサーバセンタ１２と、プロバイダサーバ１３と、最安回線交換機１１の口座を持つ金融機関の金融機関コンピュータ１４と、通話料の請求・保証金を管理するＩＣコンピュータセンタに設置される回線管理コンピュータ１５と、同ＩＣコンピュータセンタに設置される課金システム用コンピュータ１６と、同ＩＣコンピュータセンタに設置される入出金管理用コンピュータ１７と、ＩＴＴ電電１８と、集金代行サービス会社に設置される集金管理用コンピュータ１９と、発信者が通話料を支払う取引銀行に設置される金融機関コンピュータ２０とから、主に構成されている。
【００１７】
電話回線接続用端末２は、携帯電話１の下部の接続部に差し込み、携帯電話１から電話３の電話番号を送信する際に、送信ボタンのオンをトリガとして、内部のメモリに格納される最安回線交換機１１の電話番号のデータ（電話番号データ）を出力する機器である。この実施の形態では、電話回線接続用端末２を、携帯電話１に外付けする機器としているが、携帯電話１に内蔵される機器としても良い。電話回線接続用端末２の構造については、後で詳述する。
【００１８】
移動交換機８は、発信者側の携帯電話１と受信者側の電話３との間の回線の接続途中にある交換機であり、発信者加入側交換機と受信者加入側交換機とを兼ねたものである。携帯電話１に接続された電話回線接続用端末２には、通話料が最も安くなるルートの交換機（最安回線交換機）の電話番号データが記憶されている。このため、移動交換機８は、携帯電話１から送信されてきた当該電話番号データに基づき、最安回線交換機１１に向けて、受信者用の電話３の電話番号データを送信する。なお、この実施の形態では、電話３が携帯電話であるため、移動交換機８のみを使用しているが、固定電話の場合には、移動交換機８から固定電話用の回線を交換する交換機（図示省略）も使用される。また、この実施の形態では、携帯電話１を使用する発信者と電話３を使用する受信者が同一の電話回線管理会社に加入しているため、移動交換機８が１台である。しかし、発信者と受信者が、異なる電話回線管理会社に加入していれば、複数の移動交換機８を経由して、携帯電話１と電話３の回線を接続するようになる。
【００１９】
国際交換機９は、移動交換機８と最安回線交換機１１とを中継する交換機である。この実施の形態では、最安回線交換機１１が国外に存在することから、国際交換機９が用いられている。国際交換機９には、接続制御ユニット９ａが備えられている。接続制御ユニット９ａは、最安回線交換機１１の電話番号データに基づいて、最安回線交換機１１に回線を接続する最安回線交換機接続手段と、受信者の電話３の電話番号データに基づいて、移動交換機８に回線を接続する受信者加入側交換機接続手段とを兼ねる。専用回線１０は、移動交換機８と最安回線交換機１１とを結ぶ光ファイバからなる海底ケーブルである。ただし、専用回線１０は、光ファイバからなる海底ケーブルに限定されるものではなく、例えば、同軸ケーブルであっても良い。また、専用回線１０を衛星通信回線としても良い。なお、移動交換機８と国際交換機９との接続に要する費用（発地料金および対地料金）については、最安回線交換機１１を管理する電話回線管理会社が、移動交換機８を管理する電話回線管理会社に支払う。
【００２０】
最安回線交換機１１は、移動交換機８、国際交換機９を経て送信されてきた受信者用の電話３の電話番号データを受信し、国際交換機９、移動交換機８を経由して電話３に回線を接続し、最も安価な通話料となるルートで通話可能とする国外設置の交換機である。最安回線交換機１１には、接続制御ユニット１１ａが備えられている。接続制御ユニット１１ａは、受信者用の電話３の電話番号データに基づいて、国際交換機９、移動交換機８へと回線を接続する受信者加入側交換機接続手段である。なお、最安回線交換機１１は、国外に設置される交換機であることに限定されず、国内に設置される交換機でも良い。なお、国際交換機９と最安回線交換機１１と間の接続に要する費用については、発信者が最安回線交換機１１を管理する電話回線管理会社に支払う。
【００２１】
サーバセンタ１２は、最安回線交換機１１とデータの送受信を行うサーバである。最安回線交換機１１から、電話回線接続用端末２を特定する端末ナンバー、携帯電話１および電話３の電話番号、通話時間等を受け取り、これらを記録保管し、記録保管した上述の情報を後述のＩＣコンピュータセンタへと送信する。サーバセンタ１２は、通話時間と単価とを掛けた通話料金と、後述の金融機関コンピュータ１４で管理している保証金の額とを照合し、保証金から通話料金を引き出す処理を行う。サーバセンタ１２には、保証金判別ユニット１２ａと回線接続禁止処理ユニット１２ｂとが備えられている。保証金判別ユニット１２ａは、後述の最安回線交換機口座内の保証金が、通話料金を下回ったか否かを判別する保証金判別手段である。回線接続禁止処理ユニット１２ｂは、最安回線交換機１１からの接続があると、料金未納等の理由で回線の接続を禁止する回線接続禁止処理手段である。
【００２２】
プロバイダサーバ１３は、サーバセンタ１２からインターネットを通じて、ＩＣコンピュータセンタに通話明細のデータを送信する場合に経由するサーバである。なお、この実施の形態では、１つのプロバイダサーバ１３しか示されていないが、通話明細等のデータは、２つ以上のプロバイダサーバを経由して、ＩＣコンピュータセンタに送信されることもある。
【００２３】
金融機関コンピュータ１４は、最安回線交換機１１を有する電話回線管理会社の口座を開設している金融機関のコンピュータである。この口座には、発信者の支払いに基づく保証金が入金されている。金融機関コンピュータ１４は、入金されている保証金の増減を管理している。
【００２４】
回線管理コンピュータ１５は、最安回線交換機１１から移動交換機８を経由して、個人別通話明細のデータを受け取ると共に、サーバセンタ１２からプロバイダサーバ１３を経由して、個人別通話明細のデータを受け取ることもできる。回線管理コンピュータ１５は、かかるルートで受け取った個人別通話明細のデータを記録し、個人別通話明細のデータを後述の課金システム用コンピュータ１６に送信する。個人別通話明細のデータは、毎日送受信されるが、毎日であることに限定されず、２日に一度でも良い。また、回線管理コンピュータ１５には、使用禁止処理ユニット１５ａが備えられている。使用禁止処理ユニット１５ａは、後述の集金代行サービス会社に設置される集金管理用コンピュータ１９を通じて料金回収不可の通知を受けると、サーバセンタ１２に対して、回線使用中止のコマンドを送信する使用禁止コマンド送信手段である。
【００２５】
課金システム用コンピュータ１６は、回線管理コンピュータ１５から送信されてくる個人別通話明細のデータに基づいて、日報として日計表（＝通話実績日報（件数、分数））を作成すると共に、月計、所定期間内の累計も作成可能なコンピュータである。その他、課金システム用コンピュータ１６は、保証金残額表、仕入計算書、支払手数料計算書等も作成可能である。通話料の支払い請求日になると、課金システム用コンピュータ１６は、オペレータの操作あるいは自動により、個人には個人別引落明細を、集金代行サービス会社には個人別引落依頼一覧表、個人の取引銀行には個人別引落依頼票を出力する。なお、課金システム用コンピュータ１６は、有料明細請求者に対して、６ヶ月以内の個人別引落明細を検索により出力可能としている。また、課金システム用コンピュータ１６は、資金繰りに必要な管理表、保証金（毎日）、支払手数料（月末）に関係する資料を出力可能である。
【００２６】
入出金管理用コンピュータ１７は、発信者が取引している金融機関の口座から、集金代行サービス会社を経由して入金される通話料を管理すると共に、最安回線交換機１１の口座を持つ金融機関および後述のＩＴＴ国際電電１８に支払われるお金を管理するコンピュータである。ＩＴＴ国際電電１８に支払われる金額は、通話時間と仕入単価とを掛けた額となる。なお、ＩＴＴ国際電電１８は、携帯電話、ＰＨＳを用いた国際電話サービスを行う会社であるが、必ずしも国際電話会社である必要はない。最安回線交換機１１を持つ電話回線管理会社が国内にある場合には、ＩＴＴ国際電電１８に代わって国内の電話回線管理会社となる。
【００２７】
集金管理用コンピュータ１９は、発信者が口座を持つ金融機関に対して送信する個人別引落依頼票を出力するコンピュータである。また、集金管理用コンピュータ１９は、当該金融機関の口座からの引落および未回収実績を出力可能である。これらの実績のデータは、課金システム用コンピュータ１６に送信される。未回収実績は、課金システム用コンピュータ１６から回線管理コンピュータ１５に送信される。金融機関コンピュータ２０は、発信者の口座に入金あるいは当該口座から引落される金額を管理するコンピュータである。
【００２８】
なお、最安回線交換機接続手段、受信者加入側交換機接続手段、保証金判別手段、使用禁止コマンド送信手段あるいは回線接続禁止処理手段は、ハードウェア（主に電子回路）とソフトウェア（プログラム）の両動作によって実行するものであっても、ハードウェアのみの動作によって実行するものであっても良い。
【００２９】
次に、図１に基づいて、本発明の電話回線接続システムにおける情報等の流れにつき説明する。図１において、波線で示すステップは、電子データの送信または受信以外の方法、例えば、紙の送付および受領等により行われるステップとする。ただし、波線で示すステップを、電子データの送信または受信により行われるステップに代えても良い。
【００３０】
まず、発信者は、自分の携帯電話１に電話回線接続用端末２を接続し、受信者の電話３の電話番号と最安回線交換機１１の電話番号の両電話番号データを含む発信者データを最寄りの基地局４ａに向けて発信する（ステップＳ１）。最寄りの基地局４ａは、基地局制御装置５に上記発信者データを送信する（ステップＳ２）。基地局制御装置５は、携帯電話１の最新の位置をＶＬＲ６に登録し（ステップＳ３）、利用者情報および課金情報をＨＬＲ７に登録する（ステップＳ４）。また、基地局制御装置５は、移動交換機８に、発信者データを送信する（ステップＳ５）。
【００３１】
発信者データには、国際交換機９に接続するためのデータ（＝国際交換機接続用データ）も含まれている。このため、当該データに基づいて、移動交換機８は、国際交換機９に回線を接続して、発信者データを送信する（ステップＳ６）。また、発信者データに含まれる電話番号データには、最安回線交換機１１の電話番号データが含まれている。このため、国際交換機９は、専用回線１０を使って、発信者データを最安回線交換機１１に送信することができる（ステップＳ７）。最安回線交換機１１は、サーバセンタ１２に接続し、回線の使用禁止状態でないことを確認する（ステップＳ８）。次に、最安回線交換機１１は、サーバセンタ１２から使用許可を受け（ステップＳ９）、専用回線１０を使って、国際交換機９に向けて受信者の電話３の電話番号データを送信する（ステップＳ１０）。
【００３２】
次に、国際交換機９は、移動交換機８に、受信者の電話３の電話番号データを送信する（ステップＳ１１）。移動交換機８は、基地局制御装置５に同電話番号データを送信する（ステップＳ１２）。基地局制御装置５は、受信者の電話３に近い基地局４ｂに向けて、同電話番号データを送信する（ステップＳ１３）。次に、基地局４ｂは、電話３を呼び出し（ステップＳ１４）、発信者の携帯電話１と受信者の電話３との回線が接続され、通話可能な状態となる。ここまでのステップにおいて、発信者の携帯電話１の回線は接続された状態に維持されている。
【００３３】
通話が完了すると、最安回線交換機１１は、通話時間を算出して、通話利用時間等の通話明細データを、サーバセンタ１２に通知して、かつサーバセンタ１２に記録保管する（ステップＳ１５）。一方、最安回線交換機１１は、専用回線１０を使って、通話明細データを国際交換機９に送信する（ステップＳ１６）。国際交換機９は、毎日、個人別の通話明細データをＩＣコンピュータセンタの回線管理コンピュータ１５に送信する（ステップＳ１７）。なお、サーバセンタ１２は、インターネットを経由して、プロバイダサーバ１３に通話明細データを送信することもできる（ステップＳ１８）。この場合、通話明細データは、プロバイダサーバ１３からＩＣコンピュータセンタの回線管理コンピュータ１５に送信される（ステップＳ１９）。
【００３４】
サーバセンタ１２は、回線を使用した時間に単価を掛けた金額を、最安回線交換機口座に貯蓄された保証金と相殺するために、金融機関コンピュータ１４との間で相殺処理を行う（ステップＳ２０）。一方、回線管理コンピュータ１５は、毎日の個人別の通話明細データを保管して、随時、課金システム用コンピュータ１６に送信する（ステップＳ２１）。課金システム用コンピュータ１６は、資金繰りに必要な管理表、保証金、支払手数料に関係するデータを入出金管理用コンピュータ１７に送信する（ステップＳ２２）。なお、課金システム用コンピュータ１６は、資金繰りに必要な管理表、保証金、支払手数料に関係するデータを紙に出力するようにしても良い。また、課金システム用コンピュータ１６は、集金管理用コンピュータ１９に、個人別の引落依頼一覧表のデータを送信する（ステップＳ２３）。
【００３５】
集金管理用コンピュータ１９は、取引銀行別に、個人別の引落依頼票のデータを送信する（ステップＳ２４）。発信者は、自分の取引銀行の口座に預金を行う（ステップＳ２５）。なお、ステップＳ２５は、ステップＳ２４以前の任意の時期に行うことのできるステップである。取引銀行は、ステップＳ２４の手続きに基づき、契約期日に自動引き落としを行い、、集金代行サービス会社に送金する（ステップＳ２６）。集金代行サービス会社は、サービス料を差し引いて、支払日にＩＣ指定口座に送金する（ステップＳ２７）。また、集金管理用コンピュータ１９は、個人別の引落実績一覧表および未回収実績表の両データを電子メール等の手段によって、課金システム用コンピュータ１６に送信する（ステップＳ２８）。未回収実績表のデータは、未回収という状況が発生していなければ、未回収はなしというデータのみとなり、未回収という状況があれば、未回収の回数、未回収の金額等の情報を含むデータとなる。
【００３６】
未回収がある場合には、課金システム用コンピュータ１６は、未回収実績表のデータを回線管理コンピュータ１５に送信する（ステップＳ２９）。ただし、課金システム用コンピュータ１６は、未回収リストを出力するのみとし、人間が回線の使用停止を決定し、その決定を回線管理コンピュータ１５に入力するようにしても良い。ステップＳ２９に続いて、回線管理コンピュータ１５は、回線使用禁止のデータをサーバセンタ１２に送信する（ステップＳ３０）。これによって、発信者の携帯電話１から最安回線交換機１１に、受信者の電話３への接続要求がきても、最安回線交換機１１を介した回線接続が拒否されるようになる。
【００３７】
ＩＣコンピュータセンタは、最安回線交換機口座に保証金を入金する（ステップＳ３１）。なお、金融機関コンピュータ１４に接続されるＡＴＭに現金が入金されても良い。また、入出金管理用コンピュータ１７から金融機関コンピュータ１４に、保証金の入金データが送信されるようにしても良い。課金システム用コンピュータ１６は、通話明細のデータを出力し、発信者に郵送等の方法で送る（ステップＳ３２）。ただし、通話明細のデータの送付手段は、電子メール、ファクシミリ等の他の手段でも良い。ＩＣコンピュータセンタは、ＩＴＴ国際電電株式会社１８に対して通話料金の仕入れに相当する金額を支払う（ステップＳ３３）。
【００３８】
図２は、電話回線接続用端末２の内部構造を示す図である。電話回線接続用端末２の内部には、接続インターフェイス２１と、スイッチ２２と、電源２３と、マイクロコンピュータ２４と、発信器２５とを備えている。
【００３９】
接続インターフェイス２１は、携帯電話１の下部に設けられる接続インターフェイス（図示省略）に電話回線接続用端末２を差し込んで、電気的に接続させる部分である。スイッチ２２は、電話回線接続用端末２の外部に突出した部分を有し、外部からの押圧動作（図中の白抜き矢印で示す方向からの押圧動作）によって、オンおよびオフ可能である。電話回線接続用端末２を使用して通話したい場合にはスイッチ２２をオンにし、電話回線接続用端末２を使用しない場合にはスイッチ２２をオフにすれば良い。電源２３は、電話回線接続用端末２を作動可能とする電力供給源であり、リチウム電池等の電池の形態を呈している。
【００４０】
マイクロコンピュータ２４は、制御部２６と、ＲＯＭ（Ｒｅａｄ　Ｏｎｌｙ　Ｍｅｍｏｒｙ）２７と、ＲＡＭ（Ｒａｎｄｏｍ　Ａｃｃｅｓｓ　Ｍｅｍｏｒｙ）２８とを備えている。制御部２６は、主に、ＣＰＵ（Ｃｅｎｔｒａｌ　Ｐｒｏｃｅｓｓｏｒ　Ｕｎｉｔ）から構成されている。制御部２６は、携帯電話１の発信ボタンのオンをトリガにして、後述のＲＡＭ２８から最安回線交換機１１の電話番号データを読み出す電話番号読み出し手段である。ＲＯＭ２７は、制御部２６の制御用プログラムを格納している読み出し専用のメモリである。
【００４１】
ＲＡＭ２８は、電話回線接続用プログラムと、最安回線交換機１１の電話番号データと、国際交換機接続用データとを格納している、読み書き可能なメモリである。ＲＡＭ２８は、最も安価な通話料となるルートで通話可能とする最安回線交換機１１の電話番号データを記憶する電話番号記憶手段である。ＣＰＵ、ＲＯＭ２７およびＲＡＭ２８は、それぞれ、１つづつであっても、２つ以上であっても良い。発信器２５は、制御部２６がＲＡＭ２８から読み出した電話番号データをパルス信号として発信する電話番号データ発信手段である。発信器２５は、国際交換機接続用データも発信する。
【００４２】
電話番号読み出し手段および電話番号データ発信手段は、ハードウェア（主に電子回路）とソフトウェア（プログラム）の両動作によって実行するものであっても、ハードウェアのみの動作によって実行するものであっても良い。
【００４３】
図３は、電話回線接続用端末２を使って電話をかけるときの、データの流れを説明する図である。
【００４４】
発信者が自分の携帯電話１から通話相手（受信者）の電話３に電話するときに、電話３の電話番号をプッシュしてから発信ボタン４０を押す。すると、発信ボタン４０のオンに基づく電気信号が電話回線接続用端末２に送られる（ステップＳ４１）。すると、電話回線接続用端末２の電源２３がオンになっていれば、内部のＲＡＭ２８から最安回線交換機１１の電話番号データと国際交換機接続用データとが読み出され、携帯電話１側に送られる。（ステップＳ４２）。続いて、受信者の電話３の電話番号データと共に、最安回線交換機１１の電話番号データと国際交換機接続用データとが、携帯電話１から発信される（ステップＳ４３）。
【００４５】
次に、本発明の電話回線接続用プログラムの処理につき、図４のフローチャートに基づいて説明する。
【００４６】
最初に、携帯電話１の発信ボタン４０のオンが検知される（発信検知ステップ：ステップＳ５１）。すると、発信ボタン４０のオンをトリガにして、最も安価な通話料となるルートで通話可能とする最安回線交換機１１の電話番号データと、国際交換機接続用データとが読み出される（電話番号読み出しステップ：ステップＳ５２）。そして、読み出された最安回線交換機１１の電話番号データと国際交換機接続用データとが発信器２５へと送信される（電話番号データ送信ステップ：ステップＳ５３）。これによって、ＲＡＭ２８に格納される電話回線接続用プログラムの処理動作が終了する。
【００４７】
なお、ステップＳ５２において読み出され、ステップＳ５３において送信されるデータは、最安回線交換機１１の電話番号データのみであっても良い。国際交換機接続用データは、制御部２４ではなく、発信器２５に接続される別の回路から送られる場合もある。
【００４８】
以上、本発明の実施の形態について説明したが、本発明は、かかる実施の形態に限定されることなく、種々変形した形態で実施し得る。
【００４９】
例えば、上述の実施の形態では、電話回線接続用端末２は、携帯電話１の発信ボタン４０をトリガとして、最安回線交換機１１の電話番号データ等を読み出し、これを携帯電話１に向けて送信するようにしている。しかし、必ずしも、携帯電話１の発信ボタン４０をトリガとしなくても良い。図５は、携帯電話１の発信ボタン４０をトリガとしない別の実施の形態を説明するための図である。以後、図２と図５に基づいて、処理の流れを説明する。
【００５０】
電話回線接続用端末２を携帯電話１の下部に設けられる接続インターフェイス（図示省略）に差し込んで、図２に示した電話回線接続用端末２のスイッチ２２をオンとすると、最安回線交換機１１の電話番号データと国際交換機接続用データとが、ＲＡＭ２８から読み出されて、携帯電話１の内部メモリ４１へと送信される（ステップＳ６１）。そして、かかるデータは内部メモリ４１内に記録される（ステップＳ６２）。
【００５１】
発信者が、受信者の電話３の電話番号データをプッシュして、発信ボタン４０を押すと、発信ボタン４０のオンがトリガとなって、内部メモリ４１内の最安回線交換機１１の電話番号データと国際交換機接続用データが、受信者の電話３の電話番号データと共に発信される（ステップＳ６３）。なお、受信者の電話３の電話番号データは、内部メモリ４１とは別のメモリに保存されていても良い。
【００５２】
また、上記実施の形態では、支払い請求に基づく後払い方式による通話料の支払いの形式で説明したが、前もって、保証金のための金額を支払うプリペイド方式を採用しても良い。このように、２通りの通話料の支払い方法を採用可能とすることにより、携帯電話１を使用する発信者の料金支払い方法のバリエーションが広がる。また、受信者が使用する電話３は、携帯電話以外の電話（例えば、固定電話）であっても良い。
【００５３】
【発明の効果】
本発明によれば、最もコストの安いルートによって、携帯電話から発信する通話を実現することができる。
【図面の簡単な説明】
【図１】本発明の電話回線接続システムの実施の形態を概略的に示す図である。
【図２】本発明の電話回線接続用端末の実施の形態の内部構造を示す図である。
【図３】図１に示す電話回線接続システムにおいて、電話回線接続用端末を使って電話をかけるときのデータの流れを説明する図である。
【図４】本発明の電話回線接続用プログラムの実施の形態の処理の流れを示すフローチャートである。
【図５】図３に示す電話回線接続システムと別の形態におけるデータの流れを説明する図である。
【符号の説明】
１　携帯電話
２　電話回線接続用端末
３　電話
４ａ基地局
４ｂ基地局
８　移動交換機（発信者加入側交換機、受信者加入側交換機を兼ねる）
９　国際交換機
９ａ接続制御ユニット（最安回線交換機接続手段と、受信者加入側交換機接続手段とを兼ねる）
１１　最安回線交換機
１１ａ接続制御ユニット（受信者加入側交換機接続手段）
１２　サーバセンタ
１２ａ保証金判別ユニット（保証金判別手段）
１２ｂ回線接続禁止処理ユニット（回線接続禁止処理手段）
１５ａ使用禁止処理ユニット（使用禁止コマンド送信手段）
２５　発信器（電話番号データ発信手段）
２６　制御部（電話番号読み出し手段）
２８　ＲＡＭ（電話番号記憶手段）
４０　発信ボタン
【図１】
2004096597.tif 000003
【図２】
2004096597.tif 000004
【図３】
2004096597.tif 000005
【図４】
2004096597.tif 000006
【図５】
2004096597.tif 000007